(57)【要約】【課題】移動被写体の映像を記録する撮影システムにおいて、複数の移動被写体の中から特定の被写体のみを識別して、その映像を記録し、編集する手段を提供することを目的とする。【解決手段】本発明における撮影システムは、移動被写体の識別情報を取得する被写体識別情報取得部と、前記移動被写体の映像情報を、前記移動被写体の識別情報と関連付けて記録する映像情報記録部とを有するものであって、これにより上記のような複数の移動被写体の中から特定の被写体のみを識別して、その映像を記録し、編集するというニーズに応えるための手段が得られる。【選択図】  図１
2004304653.tif 000002
【特許請求の範囲】
【請求項１】
移動被写体の識別情報を取得する被写体識別情報取得部と、
前記移動被写体の映像情報を、前記移動被写体の識別情報と関連付けて記録する映像情報記録部とを有する撮影システム。
【請求項２】
さらに前記移動被写体の位置情報を取得する被写体位置情報取得部を有し、
前記映像情報記録部は、前記被写体位置情報取得部が取得した位置情報に基づいて前記移動被写体を追跡しながら前記記録をする請求項１に記載の撮影システム。
【請求項３】
前記映像情報記録部は、複数のカメラを有する請求項１又は２に記載の撮影システム。
【請求項４】
前記映像情報記録部に記録された前記移動被写体の映像情報を前記識別情報に基づいて取得する映像情報取得部をさらに有する請求項３に記載の撮影システム。
【請求項５】
前記映像取得部が取得した前記移動被写体の映像情報を合成して時間的に連続した合成映像を生成する合成映像生成部をさらに有する請求項４に記載の撮影システム。
【請求項６】
前記移動被写体及びその移動被写体に関連付けられている被写体識別情報は複数である請求項１から５のいずれか一に記載の撮影システム。
【請求項７】
前記映像情報記録部が記録した映像情報を出力する記録映像情報出力部を有する請求項１から６のいずれかに記載の撮影システム。
【請求項８】
前記映像情報取得部が取得した映像情報を出力する取得映像情報出力部を有する請求項４に記載の撮影システム。
【請求項９】
前記記録映像出力部は、放送又は通信により公衆に公開するために前記映像情報を出力する請求項７に記載の撮影システム。
【請求項１０】
前記取得映像出力部は、放送又は通信により公衆に公開するために前記映像情報を出力する請求項８に記載の撮影システム。
【請求項１１】
請求項１から１０のいずれか一に記載の撮影システムを有する携帯型通信端末装置。
【請求項１２】
前記識別情報は、被写体に備えられた非接触ＩＣタグにより生成され、前記被写体識別情報取得部は、前記非接触ＩＣタグ読取機能を有する請求項１から１１のいずれか一に記載の撮影システム。
【請求項１３】
前記映像情報記録部が記録する前記移動被写体の映像情報は、アトラクションを利用して移動する移動被写体の映像情報である請求項１から１２のいずれか一に記載の撮影システム。
【請求項１４】
移動被写体の識別情報を取得する被写体識別情報取得ステップと、
前記被写体識別情報取得ステップにて取得された前記識別情報と前記移動被写体の映像情報とを関連付けて記録する映像記録ステップとを有する撮影方法。
【請求項１５】
移動被写体の位置情報を取得するための前記移動被写体の識別情報を含む被写体位置情報を取得する被写体位置情報取得ステップと、
前記被写体位置情報取得ステップにて取得した前記位置情報に基づいて前記移動被写体を追跡しながら前記識別情報と関連付けて前記移動被写体の映像情報を記録する映像記録ステップとを有する撮影方法。
【発明の詳細な説明】
【０００１】
【発明の属する技術分野】
本発明は、移動する被写体の映像を記録する撮影システムに関するものである。
【０００２】
【従来の技術】
近年、映像情報の分野においても、コンテンツの多様化、個別化志向が進展していること、また、パソコン、携帯電話等で映像を簡単に撮影したり再生できるようになったこと等から、移動被写体の映像をカメラにより撮影したものを、撮影後すぐに入手して再生して見たり、特定の移動被写体の映像だけを切り出して編集したものを入手して再生して見たりといった、多様なニーズが今後高まっていくことが予想される。例えば、遊園地のジェットコースタ等のアトラクションに搭乗中の特定の人の映像を記録して降りる際に配付するといったものや、マラソン競技に参加した特定のランナーの各通過地点における映像を、当該地点に設置されたカメラで記録して、当該ランナーがレース終了後に見ることができるようにするといったもの等である。
【０００３】
従来、かかる移動被写体等の映像を記録する方法としては、例えば、一定の監視領域に設置された複数のカメラの映像を収集して監視する遠隔監視システムが知られている（特許文献１参照）。
【０００４】
【特許文献１】
特開２００３−０１８６７５号公報
【０００５】
【発明が解決しようとする課題】
しかし、上述のようなニーズを踏まえれば、複数の移動被写体の中から特定の被写体のみを識別して、その映像を記録し、編集する手段の提供が求められる。この点、従来のものは、かかる手段を有していない。
【０００６】
【課題を解決するための手段】
そこで、上記課題を解決するため、本発明における撮影システムは、移動被写体の識別情報を取得する被写体識別情報取得部と、前記移動被写体の映像情報を、前記移動被写体の識別情報と関連付けて記録する映像情報記録部とを有するものであって、これにより上記のような複数の移動被写体の中から特定の被写体のみを識別して、その映像を記録し、編集するというニーズに応えるための手段を提供するものである。
【０００７】
【発明の実施形態】
以下に、本発明の実施の形態を説明する。実施形態と、特許請求の範囲の請求項との関係は以下のようなものである。
【０００８】
実施形態１：主に請求項１、請求項１４などに関して説明する。
【０００９】
実施形態２：主に請求項２、請求項１５などに関して説明する。
【００１０】
実施形態３：主に請求項３などに関して説明する。
【００１１】
実施形態４：主に請求項４などに関して説明する。
【００１２】
実施形態５：主に請求項５などに関して説明する。
【００１３】
実施形態６：主に請求項６などに関して説明する。
【００１４】
実施形態７：主に請求項７などに関して説明する。
【００１５】
実施形態８：主に請求項８などに関して説明する。
【００１６】
実施形態９：主に請求項９などに関して説明する。
【００１７】
実施形態１０：主に請求項１０などに関して説明する。
【００１８】
実施形態１１：主に請求項１１などに関して説明する。
【００１９】
実施形態１２：主に請求項１２などに関して説明する。
【００２０】
実施形態１３：主に請求項１３などに関して説明する。
【００２１】
なお、本発明はこれら実施の形態に何ら限定されるものではなく、その要旨を逸脱しない範囲において、種々なる態様で実施しうる。
＜＜実施形態１＞＞
【００２２】
＜実施形態１：概要＞
【００２３】
本実施形態は、移動被写体の識別情報を取得する被写体識別情報取得部と、前記移動被写体の映像情報を、前記移動被写体の識別情報と関連付けて記録する映像情報記録部とを有することを特徴とする撮影システムに係るものである。
【００２４】
図１は、本実施形態の一例の概念を示すものである。以下、同図に示す遊園地の代表的なアトラクションの一つであるジェットコースタの例に即して説明する。
【００２５】
（１）  ジェットコースタ（０１０１）の搭乗者には予め衣服等に移動被写体の識別情報の発信源となる非接触ＩＣタグ等（０１０２）を取り付けてもらう。また、ジェットコースタの軌道上の何箇所かに、そのエリア内を搭乗者が通過中に当該搭乗者の映像を記録するためのエリアとして「通過ポイント」を設けておく。
【００２６】
（２）  一方、上記の各通過ポイントをジェットコースタが通過する際の搭乗者の映像を記録する為、軌道の周囲に映像情報記録部を構成するカメラ（本例では複数台）を設置しておく。
【００２７】
（３）  ジェットコースタがある通過ポイントＡを通過する際に、当該Ａポイントを担当するカメラａ（０１０３）は、ジェットコースタの搭乗者（０１０４）の映像を記録する。その際、カメラは、各人の映像と、上記の非接触ＩＣタグ等により識別された識別情報とを関連付けて記録する。なお、搭乗者が複数であっても、各人毎に上記タグ等を取り付けることにより、カメラは各人毎に識別して記録する。
【００２８】
（４）  ジェットコースタが次の通過ポイントＢを通過する際には、そのポイントを担当するカメラｂ（０１０５）が、上記と同じ要領で当該搭乗者の映像を記録する。
【００２９】
（５）  このようにして、ジェットコースタがポイントを次々と通過する度に、それぞれのポイントを担当するカメラが、上記と同じ要領で当該搭乗者の映像を記録していく。
【００３０】
＜実施形態１：構成＞
【００３１】
図２は、本実施形態の機能ブロックの一例を示す図である。
【００３２】
本件発明の構成要素である各部は、ハードウェア、ソフトウェア、ハードウェアとソフトウェアの両者、のいずれかによって構成される。たとえば、これらを実現する一例として、コンピュータを利用する場合には、ＣＰＵ、メモリ、バス、インターフェイス、周辺機器などから構成されるハードウェアと、これらのハードウェア上にて実行可能なソフトウェアを挙げることができる。
【００３３】
具体的には、メモリ上に展開されたプログラムを順次実行することで、メモリ上のデータや、インターフェイスを介して入力されるデータの加工、蓄積、出力などにより各部の機能が実現される。データの加工、蓄積、出力などにより各部の機能が実現される。
【００３４】
本実施形態は、「被写体識別情報取得部」（０２０１）と、「映像情報記録部」（０２０２）とで構成される「撮影システム」（０２００）に係るものである。
【００３５】
「被写体識別情報取得部」（０２０１）は、移動被写体の識別情報を取得するように構成されている。「識別情報」とは、移動被写体を識別するための情報をいう。識別情報の発信源としては、例えば、非接触ＩＣタグ、人の顔その他の容姿、無線による識別情報発信源等が用いられる。なお、非接触ＩＣタグ等の場合、人の衣服等に取り付けても良いし、人が搭乗する乗り物等に取り付けてもよい。また、発信された識別情報を読み取る手段としては、例えば、ＩＣタグリーダ、画像認識装置、無線情報の受信装置等が用いられる。
【００３６】
「映像情報記録部」（０２０２）は、前記移動被写体の映像情報を、前記移動被写体の識別情報と関連付けて記録するように構成されている。「関連付けて」とは、被写体の映像情報と、その映像情報がどの被写体のものであるかを識別するための情報とを記録に際して対応付けることをいう。
【００３７】
図２９は、これを移動被写体が山田さんである場合を例にとって説明したものである。
【００３８】
本図において、山田さん（２９０１）は、衣服等に非接触ＩＣタグ（２９０２）を取り付けており、当該タグは識別情報ＩＤ０１を発信する機能を有している。
【００３９】
被写体識別情報取得部（２９１０）は、上述のタグから発信された識別情報ＩＤ０１（２９１１）を取得するように構成されている。一方、映像情報記録部（２９２０）においては、山田さんの映像情報（２９２１）を山田さんの識別情報ＩＤ０１（２９２２）と関連付けて記録するように構成されている。
【００４０】
以上の構成を、上述のような遊園地の代表的アトラクションであるジェットコースタの搭乗者の映像を記録する場合の一例を用いてさらに具体的に説明すれば、以下のとおりである。
【００４１】
識別情報の発信源として、非接触ＩＣタグが予め搭乗者の衣服に取り付られている。一方、映像情報を記録するためにカメラの側には、発信された当該識別情報を読み取るためのＩＣタグリーダが取り付けられている。
【００４２】
また、ジェットコースタの軌道の周囲には、予め搭乗者の映像情報を記録するためのカメラが設置されている。
【００４３】
当該カメラは、ジェットコースタが予め設定された通過ポイントを通過する際に、そのポイントを担当するカメラが上記の識別情報を読み取り、そのポイントを通過中のジェットコースタの搭乗者の映像を記録するように構成されている。なお、その際、当該カメラは、その人の映像とその人の衣服に取り付けられた非接触ＩＣタグから発信される識別情報とを関連付けて記録するように構成されている。
【００４４】
ジェットコースタが次の通過ポイントを通過する際にも、上と同じ要領で、当該通過ポイントを担当するカメラが当該搭乗者の映像を記録するように構成されており、このようにして、ジェットコースタがポイントを次々と通過する度に、それぞれのポイントを担当するカメラが、上と同じ要領で当該搭乗者の映像を記録していくように構成されている。
【００４５】
また、別の具体例としては、マラソンランナーの各通過ポイントにおける映像を記録する場合がある。この場合は、移動被写体は各マラソンランナーであり、その識別情報の取得手段としては、例えば予め各ランナーのユニフォームに非接触ＩＣタグを取り付けてもらい、それをＩＣタグリーダで読み取る方法によるものが用いられる。そして、映像情報記録部を構成するカメラは、予め各通過ポイントに設置され、そのポイントを各ランナーが通過する際に、当該ランナーの映像をその識別情報と関連付けて記録するように構成されている。
【００４６】
その際、各通過ポイントにおけるカメラは、当該ランナーの映像を、その識別情報のほか、時刻とも関連付けて記録することとし、当該ポイントにおける映像情報を常時記録するようにしてもよい。また、合わせて、各通過ポイントにおける当該ランナーの映像情報を、上記の識別情報及び時刻と関連付けることにより、つなぎ合わせて編集することも行うようにしてもよい。
【００４７】
以上のほかにも、例えば、球技の試合における特定の選手の動きや、ステージで歌っている人気アイドルグループの中の特定人の動き等について、上と同様の要領で記録する場合を挙げることができる。
【００４８】
＜実施形態１：処理の流れ＞
【００４９】
図３は、本実施形態における処理の流れの一例を示したものである。本実施形態における処理の流れは、以下に示す各ステップからなる。
【００５０】
まず、被写体の識別情報の取得ステップ（Ｓ０３０１）において、当該撮影装置は移動被写体の識別情報を取得する。
【００５１】
次に、当該移動被写体を記録するかどうかの判断ステップ（Ｓ０３０２）において、記録するとの判断がなされた場合には、映像情報の記録ステップ（Ｓ０３０３）に進む。
【００５２】
映像情報の記録ステップ（Ｓ０３０３）においては、当該撮影装置は、当該
移動被写体の映像情報を、前記移動被写体の識別情報と関連付けて記録する。
【００５３】
＜実施形態１：効果＞
【００５４】
本実施形態においては、移動被写体の映像情報を、前記移動被写体の識別情報と関連付けて記録することにより、移動被写体毎に記録された映像を簡単に取り出して編集すること等が可能となる。
【００５５】
例えば、上述のアトラクションの例においては、搭乗者毎にその人の映像を次々に記録し、記録された映像から識別情報に基づいて特定人の映像を簡単に取り出して編集できるため、例えば、搭乗を終えてジェットコースタから降りる際に、各人に搭乗記念としてその映像、特にその人のクローズアップの映像が記録され度デオテープを配付するといったサービスの提供が可能となる。
【００５６】
また、例えば、上述のマラソンランナーの映像の例においては、各通過ポイントにおける当該ランナーの映像情報を、識別情報及び時刻と関連付けて常時記録することにより、これらの映像情報の中からユーザの指定する任意の時刻における当該ランナーの映像を配付したり、これらの映像情報をつなぎ合わせて編集すること等により当該ランナーの走る姿を一連の映像として配付したりといったサービスの提供が可能となる。
【００５７】
また、サッカー等の球技試合において、特定の選手の映像情報を同様に識別情報及び時刻と関連付けて常時記録することにより、これらの映像情報の中からユーザの指定する任意の時刻における当該選手の映像、特に時刻から判明している当該選手の得点シーンのみをつなぎ合わせて編集すること等により当該選手が試合中に活躍する姿を時間順の一連の映像として配付するといったサービスの提供も可能となる。
＜＜実施形態２＞＞
【００５８】
＜実施形態２：概要＞
【００５９】
本実施形態は、実施形態１を基本とし、さらに当該撮影システムは、前記移動被写体の位置情報を取得する被写体位置情報取得部を有し、前記映像情報記録部は、前記被写体位置情報取得部が取得した位置情報に基づいて前記移動被写体を追跡しながら前記記録をすることを特徴とするものである。
【００６０】
＜実施形態２：構成＞
【００６１】
図４は、本実施形態の機能ブロックの一例を示す図である。
【００６２】
本実施形態は、「被写体識別情報取得部」（０４０１）と、「被写体位置情報取得部」（０４０２）と、「映像情報記録部」（０４０３）で構成される「撮影システム」（０４００）に係るものである。
【００６３】
即ち、本実施形態は、実施形態１を基本とし、さらに「被写体位置情報取得部」（０４０２）を有し、前記映像情報記録部は、前記被写体位置情報取得部が取得した位置情報に基づいて前記移動被写体を追跡しながら前記記録をするように構成されている撮影システムに係るものである。
【００６４】
「被写体位置情報取得部」（０４０２）は、前記移動被写体の位置情報を取得するように構成されている。「位置情報」とは、被写体の位置を認識するための情報をいう。位置を認識するための手段としては、例えば、ＧＰＳ等が用いられる。
【００６５】
また、「追跡しながら」とは、映像情報記録部が記録に際して移動被写体の動きに応じてその方向に向きを変えながら、あるいはその方向に移動しながら、あるいはこの両者を組み合わせた動きをしながらという意味である。
【００６６】
＜実施形態２：処理の流れ＞
【００６７】
図５は、本実施形態における処理の流れの一例を示したものである。
【００６８】
本実施形態における処理の流れは、被写体の識別情報の取得ステップ（Ｓ０５０１）と、被写体の位置情報の取得ステップ（Ｓ０５０２）と、移動被写体を記録するかどうかの判断ステップ（Ｓ０５０３）と、映像情報の記録ステップ（Ｓ０５０４）からなり、映像情報の記録ステップ（Ｓ０５０４）における記録は、前記被写体の位置情報の取得ステップ（Ｓ０５０２）で取得された位置情報に基づいて前記移動被写体を追跡しながら行われるものである。
【００６９】
即ち、本実施形態における処理の流れは、実施形態１における処理の流れを基本とし、さらに、当該撮影システムが前記移動被写体の位置情報を取得する、被写体の位置情報の取得ステップ（Ｓ０５０２）を加えるとともに、映像情報の記録ステップ（Ｓ０５０４）における記録は、前記被写体の位置情報の取得ステップ（Ｓ０５０２）で取得された位置情報に基づいて前記移動被写体を追跡しながら行われるものである。
【００７０】
＜実施形態２：効果＞
【００７１】
本実施形態においては、実施形態１と同様の効果に加え、さらに以下の効果を有する。
【００７２】
即ち、本実施形態においては、前記被写体位置情報取得部が取得した位置情報に基づいて前記移動被写体を追跡しながら前記記録をすることにより、被写体をより的確に捕捉し、記録しつづけることができる。このため、映像コンテンツに対するユーザの満足度をより高めることが可能となる。
＜＜実施形態３＞＞
【００７３】
＜実施形態３：概要＞
【００７４】
本実施形態は、実施形態１又は２を基本とし、当該撮影システムの前記映像情報記録部は、複数のカメラを有することを特徴とするものである。
【００７５】
＜実施形態３：構成＞
【００７６】
図６は、本実施形態の機能ブロックの一例を示す図である。
【００７７】
本実施形態は、「被写体識別情報取得部」（０６０１）と、「映像情報記録部」（０６０２）で構成され、前記映像情報記録部は、複数のカメラを有するように構成されている「撮影システム」（０６００）に係るものである。なお、本図では示されていないが、以上の構成に「被写体位置情報取得部」を加えたもので構成される「撮影システム」に係るものである場合もある。
【００７８】
即ち、本実施形態は、実施形態１又は２を基本とし、前記映像情報記録部は、複数のカメラを有するように構成されている撮影システムに係るものである。
【００７９】
具体的には、例えば遊園地のジェットコースタ搭乗中の人を撮影する場合について言えば、各通過ポイントにおける搭乗者の映像を記録するカメラが複数設置されている場合が該当する。
【００８０】
また、別の具体例としては、例えば、遊園地内のさまざまなアトラクション等を利用する入園者の映像を記録する場合がある。以下このような場合の一例について説明する。
【００８１】
この場合、識別情報の発信源である非接触ＩＣタグが予め、例えば入園の際に入園者の衣服に取り付けられ、映像情報を記録するカメラの側には、発信された当該識別情報を読み取るためのＩＣタグリーダが取り付けられている。
【００８２】
また、園内の各アトラクションをはじめとするいくつかのエリアには、そのエリア内を入園者が移動中に当該入園者の映像を記録するためのエリアとして「ポイント」が設けられ、また、各ポイントの周辺等には、予め当該ポイント内の入園者の映像情報を記録するため、それぞれのポイント毎にカメラが設置されている。
【００８３】
入園者が予め設定されたポイント内に入ると、そのポイントを担当するカメラは上記の識別情報を読み取り、そのポイント内を移動中の入園者の映像を記録するように構成されている。なお、その際、当該カメラは、その人の映像とその人の衣服に取り付けられた非接触ＩＣタグから発信される識別情報とを関連付けて記録するように構成されている。
【００８４】
入園者が別のポイント内に入ると、そのポイントを担当する別のカメラがそのポイント内を移動中の入園者の映像を記録するように構成されている。このようにして、園内のさまざまな場所を移動する特定の入園者の映像を、その人がポイント内に入る度にそのポイントを担当するカメラが記録していくように構成されている。
【００８５】
さらに、実施形態１において記載したマラソンランナーの各通過ポイントにおける映像を撮影する場合においては、各通過ポイントにおける当該ランナーの映像情報を記録するためのカメラが複数設置されている場合が該当する。
【００８６】
＜実施形態３：処理の流れ＞
【００８７】
図７は、本実施形態における処理の流れの一例を示したものである。
【００８８】
本実施形態における処理の流れは、被写体の識別情報の取得ステップ（Ｓ０７０１）と、移動被写体を記録するかどうかの判断ステップ（Ｓ０７０２）と、映像情報の記録ステップ（Ｓ０７０３）からなり、映像情報の記録ステップにおける記録は、複数のカメラにより行われるものである。なお、本図では示されていないが、以上のステップに、被写体位置情報の取得ステップを加えたものからなる場合もある。
【００８９】
即ち、実施形態における処理の流れは、実施形態１又は２を基本とし、映像情報の記録ステップにおける記録は、複数のカメラにより行われるものである。
【００９０】
＜実施形態３：効果＞
【００９１】
本実施形態においては、実施形態１及び２と同様の効果に加え、以下の効果が得られる。
【００９２】
即ち、当該撮影システムが行う映像情報の記録は、複数のカメラにより行われるものであるため、移動被写体の記録をより広範囲にわたって多角的な角度から行うことができる。このため、例えば、遊園地内のさまざまなアトラクション等を利用する入園者の映像を記録する場合であれば、その入園者が園内においてさまざまなアトラクション等を利用しながら遊ぶ様子を記録、編集し、例えば、退園時に、各人（特に小さな子供）に入園記念としてその映像、特にその人のクローズアップの映像が記録されたビデオテープを配付するといったサービスの提供が可能となる。
【００９３】
また、マラソンランナーの各通過ポイントにおける映像を撮影する場合においては、カメラが複数設置されることによって各通過ポイントにおける映像情報を常時記録することができ、この結果、例えば、各通過ポイントにおける特定ランナーの映像情報をつなぎ合わせて編集し、当該ランナーの走る姿を一連の映像として配付するといったサービスの提供が可能となる。
＜＜実施形態４＞＞
【００９４】
＜実施形態４：概要＞
本実施形態は、実施形態３を基本とし、前記映像情報記録部に記録された前記移動被写体の映像情報を前記識別情報に基づいて取得する映像情報取得部をさらに有することを特徴とする撮影システムに係るものである。
【００９５】
＜実施形態４：構成＞
【００９６】
図８は、本実施形態の機能ブロックの一例を示す図である。
【００９７】
本実施形態は、「被写体識別情報取得部」（０８０１）と、「映像情報記録部」（０８０２）と、「映像情報取得部」（０８０３）で構成され、前記映像情報記録部は、複数のカメラを有するように構成されている「撮影システム」（０８００）に係るものである。なお、本図では示されていないが、以上の構成に「被写体位置情報取得部」を加えたもので構成される「撮影システム」に係るものである場合もある。
【００９８】
即ち、本実施形態は、実施形態３を基本とし、さらに「映像情報取得部」（０８０３）を加えたものである。
【００９９】
「映像情報取得部」（０６０３）は、前記映像情報記録部に記録された前記移動被写体の映像情報を前記識別情報に基づいて取得するように構成されている。
【０１００】
図３０は、これを移動被写体が山田さんである場合を例にとって説明したものである。
【０１０１】
本図において、映像情報取得部（３０３０）は、映像情報記録部（３０２０）に記録された山田さんの映像情報（３０３１）を、山田さんの衣服に取り付けられた非接触ＩＣタグから発信された識別情報ＩＤ０１（３０３２）に基づいて取得するように構成されている。
【０１０２】
さらに具体的には、例えば、遊園地のジェットコースタ等のアトラクションの搭乗者の映像を記録する場合、前記映像情報記録部は、予め軌道の上に設定された複数の通過ポイントを搭乗者が通過する度に、当該搭乗者の映像を識別情報と関連付けて記録するように構成されている。そして、前記映像情報取得部は、記録された搭乗者の映像情報を識別情報に基づいて取得するように構成されている。この時、一つの映像の中に複数の人が記録されている場合があり得るが、その場合、前記映像情報取得部は、識別情報によりどの映像がどの人のものかを特定し、複数の映像から同一人の映像だけを取り出して取得する。
【０１０３】
また、例えば、実施形態１等において記載したマラソンランナーの各通過ポイントにおける映像を撮影する場合においては、前記映像情報取得部は、記録されたランナーの映像情報を識別情報に基づいて取得するように構成されている。また、合わせて当該映像情報が記録された時刻とも関連付けて取得するように構成されていてもよい。
【０１０４】
＜実施形態４：処理の流れ＞
【０１０５】
図９は、本実施形態におけるの処理の流れの一例を示したものである。
【０１０６】
本実施形態における処理の流れは、被写体の識別情報の取得ステップ（Ｓ０９０１）と、移動被写体を記録するかどうかの判断ステップ（Ｓ０９０２）と、映像情報の記録ステップ（Ｓ０９０３）と、映像情報の取得ステップ（Ｓ０９０４）からなり、映像情報の記録ステップにおける記録は、複数のカメラにより行われるものである。なお、本図では示されていないが、以上のステップに、被写体位置情報の取得ステップを加えたものからなる場合もある。
【０１０７】
即ち、本実施形態における処理は、実施形態３における処理の流れを基本とし、さらに、映像情報の取得ステップ（Ｓ０９０４）を加えたものである。
【０１０８】
映像情報の取得ステップ（Ｓ０９０４）においては、当該撮影システムは、前記映像情報の記録ステップ（Ｓ０９０３）において記録した移動被写体の映像情報を、前記識別情報に基づいて取得する。
【０１０９】
＜実施形態４：効果＞
【０１１０】
本実施形態においては、実施形態３と同様の効果に加え、さらに以下の効果を有する。
【０１１１】
即ち、本実施形態においては、当該撮影システムにより記録された複数の映像情報の中から、同一の移動被写体の映像情報を識別して取得することが可能となるため、同一映像内に複数の移動被写体が記録されている複数の映像がある場合に、それらの中からその被写体の映像情報だけを取り出して取得することができる。このため、例えば、ジェットコースタの搭乗者の場合であれば、特定の一人だけをクローズアップして、その人がジェットコースタに乗って移動していく様子を記録した映像を取得することができる。また、例えば、マラソンランナーの各通過ポイントにおける映像を撮影する場合であれば、各通過ポイントにおける当該ランナーの映像情報だけを取り出して取得することが可能となり、さらに当該ランナーの映像情報を識別情報と合わせて時刻とも関連付けて取得するようにすれば、この結果、各通過ポイントにおける特定ランナーの映像情報を時刻から特定して取り出すことも可能となって、特定時刻におけるランナーの走行姿を配付するといったサービスの提供が可能となる。
＜＜実施形態５＞＞
【０１１２】
＜実施形態５：概要＞
【０１１３】
本実施形態は、実施形態４を基本とし、さらに前記映像取得部が取得した前記移動被写体の映像情報を合成して時間的に連続した合成映像を生成する合成映像生成部を有することを特徴とする撮影システムに係るものである。
【０１１４】
図１０は本実施形態の一例の概念を示すものである。以下、同図に示す遊園地の代表的なアトラクションの一つであるジェットコースタの例に即して説明する。
なお、識別情報の発信源、発信された当該識別情報を読み取るための手段及びジェットコースタの軌道の周囲に予め搭乗者の映像情報を記録するためのカメラが設置されている点については、実施形態１の中でジェットコースタの例について説明したことと重複するので、ここでは説明を省く。
【０１１５】
当該カメラは、ジェットコースタの搭乗者（１００１）が予め設定されたある通過ポイント（１００２）（図中ｃｄｅｆで囲まれた部分）を通過する際に、そのポイントを担当するカメラａ（１００３）が上述の識別情報を読み取り、そのポイントを通過中のジェットコースタの搭乗者の映像を記録するように構成されている。その際、当該カメラａは、その人の映像とその人の衣服に取り付けられた非接触ＩＣタグから発信される識別情報とを関連付けて記録するように構成されている。
【０１１６】
ジェットコースタの搭乗者が次の通過ポイント（１００４）（図中ｇｈｉｊで囲まれた部分）を通過する際にも、上と同じ要領で、当該通過ポイントを担当するカメラｂ（１００５）が当該搭乗者の映像を記録するように構成されている。その際、当該通過ポイントは、一つ前の通過ポイントと一部が重なり合うように設定されている（図中ｇｈｅｆで囲まれた斜線部分）。この結果、先の通過ポイント（１００４）の最後の方でカメラａにより記録された搭乗者の映像情報（１００６）と、当該通過ポイント（１００４）の最初の方でカメラｂにより記録された当該搭乗者の映像情報（１００７）は、同一の時間帯における映像を別の角度から捉えた映像に関する情報ということになる。そして、カメラａにより記録された当該映像（１００６）とカメラｂにより記録された当該映像（１００７）とを、識別情報及び撮影時刻に関する情報に基づいて、同一時間帯における同一被写体の映像を取り出し、これらを合成する。この結果、両ポイントの重なり合う部分（図中斜線部分）を移動する被写体の映像が、その前後の映像情報と時間的に連続した合成映像（１００８）として生成される。
【０１１７】
次に、別の具体例として、移動する自動車が水しぶきをあげる様子を全周囲から観察できる合成映像を生成する場合がある。
【０１１８】
図３１は、本実施形態の別の一例としてかかる場合の概念を示すものである。以下、同図に示す例に即して説明する。
【０１１９】
（１）  移動被写体である自動車（３１０１）には予め車体の全周に移動被写体の識別情報の発信源となる非接触ＩＣタグ等（３１０２）を取り付けておく。
【０１２０】
（２）  一方、当該自動車が水しぶきをあげる様子を撮影するため、当該自動車の周囲に、これを取り囲むようにして、映像情報記録部を構成する複数のカメラを設置しておく。
【０１２１】
（３）  当該自動車が水しぶきをあげる様子を、当該映像情報記録部の一部を構成する各カメラは、それぞれの方向から一斉に撮影する。例えば、Ａ方向からの撮影を担当するカメラａ（３１０３）は、その様子をＡ方向から捉えた映像情報を上記の非接触ＩＣタグ等から発信される識別情報と関連付けて記録する。同様に、Ｂ方向からの撮影を担当するカメラｂ（３１０４）は、その様子をＢ方向から捉えた映像情報をこれに対応する非接触ＩＣタグ等（３１０５）から発信される識別情報と関連付けて記録する。これらと同様の要領で各カメラが記録を行い、この結果、当該映像記録部を構成する全カメラは、当該自動車が水しぶきをあげる様子を全周囲から捉えた映像情報を、それぞれの方向に対応する識別情報と関連付けて記録することとなる。
【０１２２】
（４）  次に、このようにして記録された映像情報の中から、同一時間帯に同一被写体についてカメラａにより記録された映像情報と、カメラｂにより記録された映像情報が取得される。同様に他の各カメラにより記録された同一時間帯における同一被写体の映像情報も取得される。
【０１２３】
（５）  さらに、このようにして取得された、各カメラにより記録された同一時間帯における同一被写体の映像情報について、合成映像が生成される。
【０１２４】
＜実施形態５：構成＞
【０１２５】
図１１は、本実施形態の機能ブロックの一例を示す図である。
【０１２６】
本実施形態は、「被写体識別情報取得部」（１１０１）と、「映像情報記録部」（１１０２）と、「映像情報取得部」（１１０３）と、「合成映像生成部」（１１０４）で構成され、前記映像情報記録部は、複数のカメラを有するように構成されている「撮影システム」（１１００）に係るものである。なお、本図では示されていないが、以上の構成に「被写体位置情報取得部」を加えたもので構成される「撮影システム」に係るものである場合もある。
【０１２７】
即ち、本実施形態は、実施形態４を基本とし、さらに「合成映像生成部」（１１０４）を加えたものである。
【０１２８】
「合成映像生成部」（１１０４）は、前記「映像取得部」（１１０３）が取得した前記移動被写体の映像情報を合成して時間的に連続した合成映像を生成するように構成されている。
【０１２９】
具体的には、例えば、ジェットコースタの例の場合であれば、映像情報記録部は、移動被写体であるジェットコースタの搭乗者が予め設定されたある通過ポイントを通過する際に、そのポイントを担当するカメラが搭乗者の衣服に取り付けられた非接触ＩＣタグから発信される移動被写体の識別情報を読み取り、そのポイントを通過中のジェットコースタの搭乗者の映像情報を、その人の衣服に取り付けられた非接触ＩＣタグから発信される識別情報と関連付けて記録するように構成されている。
【０１３０】
ジェットコースタの搭乗者が次の通過ポイントを通過する際にも、上と同じ要領で、当該通過ポイントを担当するカメラが当該搭乗者の映像情報を記録するように構成されている。その際、当該通過ポイントは、一つ前の通過ポイントと一部が重なり合うように設定されている。この結果、一つ前の通過ポイントの最後の方で担当するカメラにより記録された搭乗者の映像情報と、当該通過ポイントの最初の方で担当する別のカメラにより記録された当該搭乗者の映像情報は、同一の時間帯における映像を別の角度から捉えた映像に関する情報ということになる。
【０１３１】
次に、映像情報取得部は、両映像の中から、識別情報及び撮影時刻に関する情報に基づいて、同一時間帯における同一被写体の映像情報を含む映像情報として取得するように構成されている。
【０１３２】
さらに、合成映像生成部は、前記映像情報取得部が取得した映像情報を合成し、この結果、両ポイントの重なり合う部分を移動する被写体の映像が、その前後の映像情報と時間的に連続した合成映像として生成されるように構成されている。
【０１３３】
次に、別の具体例として、移動する自動車が水しぶきをあげる様子を全周囲から観察できる合成映像を生成する場合においては、映像情報記録部は、移動被写体である自動車が水しぶきをあげる際に、各方向からの撮影を担当するカメラが自動車の車体の全周に取り付けられた、それぞれの方向に対応する非接触ＩＣタグから発信される移動被写体の識別情報を読み取り、その映像を、それぞれの非接触ＩＣタグから発信される識別情報と関連付けて記録するように構成されている。
【０１３４】
次に、映像情報取得部は、ある方向からの撮影を担当するカメラが記録した映像情報とこれに隣接するカメラが記録した映像情報の中から、識別情報及び撮影時刻に関する情報に基づいて、同一時間帯における同一被写体の映像情報を取得するように構成されている。
【０１３５】
さらに、合成映像生成部は、前記映像情報取得部が取得した同一時間帯における同一被写体の映像情報を合成映像として生成するように構成されている。
【０１３６】
＜実施形態５：処理の流れ＞
【０１３７】
図１２は、本実施形態での処理の流れの一例を示したものである。
【０１３８】
本実施形態における処理の流れは、被写体の識別情報の取得ステップ（Ｓ１２０１）と、移動被写体を記録するかどうかの判断ステップ（Ｓ１２０２）と、映像情報の記録ステップ（Ｓ１２０３）と、映像情報の取得ステップ（Ｓ１２０４）と、合成映像の生成ステップ（Ｓ１２０５）からなり、映像情報の記録ステップにおける記録は、複数のカメラにより行われるものである。なお、本図では示されていないが、以上のステップに、被写体位置情報の取得ステップを加えたものからなる場合もある。
【０１３９】
即ち、本実施形態における処理は、実施形態４を基本とし、さらに、合成映像の生成ステップ（Ｓ１２０５）を加えたものである。
【０１４０】
合成映像の生成ステップ（Ｓ１２０５）においては、当該撮影システムは、前記映像情報の取得ステップにおいて取得した前記移動被写体の映像情報を合成して時間的に連続した合成映像を生成する。具体的には、ある範囲を撮影したカメラが記録した特定の移動被写体の映像情報と、当該範囲に隣接する範囲を撮影した別のカメラが記録した同一被写体の映像情報と合成して、あたかも１台のカメラが移動被写体と並走しながら、あるいは移動被写体の周囲を旋回しながらその映像を記録しているかのような合成映像を生成するものである。この場合、あるカメラが撮影した映像と隣接する別のカメラが撮影した映像とのつなぎ目においては、カメラの設置位置の差により当該被写体の撮影角度に差異が生じるため、その補正を行い、映像中における移動被写体の動きが自然な動きに見えるようにする。
【０１４１】
＜実施形態５：効果＞
【０１４２】
本実施形態においては、実施形態４と同様の効果に加え、さらに以下の効果を有する。
【０１４３】
即ち、移動被写体の映像情報を合成して時間的に連続した合成映像を生成することにより、あたかも１台のカメラが移動被写体と並走しながら、あるいは移動被写体の周囲を旋回しながら撮影しているかのような映像を生成することができる。このため、例えば、ジェットコースタの搭乗者の合成映像を生成する場合であれば、あたかも１台のカメラがジェットコースタとともに並走しながら当該搭乗者を撮影しているかのような臨場感あふれる映像を得ることができ、また、移動する自動車が水しぶきをあげる様子を全周囲から観察できる合成映像を生成する場合であれば、瞬時に全周囲の映像を見るという通常では見ることのできない映像を得ることができる。
＜＜実施形態６＞＞
【０１４４】
＜実施形態６：概要＞
【０１４５】
本実施形態は、実施形態１から５のいずれか一を基本とし、前記移動被写体及びその移動被写体に関連付けられている被写体識別情報は複数であることを特徴とする撮影システムに係るものである。
【０１４６】
＜実施形態６：構成＞
【０１４７】
図１３は、本実施形態の機能ブロックの一例を示す図である。
【０１４８】
本実施形態は、「被写体識別情報取得部」（１３０１）と、「映像情報記録部」（１３０２）で構成され、前記移動被写体及びその移動被写体に関連付けられている被写体の識別情報は複数である「撮影システム」（１３００）に係るものである。なお、本図では示されていないが、上に加え、さらに表１の各パターンのいずれかに示す構成を有するものも本実施形態に含まれ得る。
【０１４９】
【表１】
2004304653.tif 000003
【０１５０】
即ち、本実施形態は、実施形態１から５のいずれか一を基本とし、前記移動被写体及びその移動被写体に関連付けられている被写体の識別情報は複数であるものである。
【０１５１】
具体的には、サッカー等の球技試合において、特定の複数の選手（例えば互いに異なるチームに属する選手Ａと選手Ｂ）の動きを捉えた映像を記録する場合がある。この場合、選手Ａと選手Ｂが接近してプレーしていることを把握するため、例えば、試合場内に一定間隔に被写体識別情報取得部を構成するＩＣタグリーダ等を複数配置するといった方法が用いられる。当該両選手が接近してプレーしている場合、例えば、上記のタグリーダ等のうち特定のものだけが選手Ａのユニフォーム等に取り付けられた非接触ＩＣタグ等から発信される識別情報、選手Ｂの同様の識別情報の複数の識別情報を同時に取得し、他のものはかかる取得を行わないことにより、接近プレーが把握される。そして、映像情報記録部は、選手Ａの映像情報と、選手Ｂの両者が写された映像情報を、それぞれ選手Ａの識別情報、選手Ｂの識別情報と関連付けて記録するように構成される。その後も、両選手が接近してプレーする度に、前記映像情報記録部は上と同様の要領で両選手の動きを記録していくように構成される。
【０１５２】
また、マラソンランナーの各通過ポイントにおける映像を撮影する場合においては、各ランナーがそれぞれ衣服等に非接触ＩＣタグ等を取り付けており、それぞれから発信される複数の識別情報を被写体識別情報取得部が取得するように構成されている。そして、映像情報記録部は、各ランナーの映像情報を各ランナーの識別情報と関連付けて記録するように構成されている。そこで、例えばレース中に先頭集団４人の中から１人がスパートして単独トップに立ったといった場面においては、それまでの映像情報中には４つの識別情報と関連付けられた映像情報が記録されるのに対し、スパート後は１つの識別情報と関連付けられた映像情報が記録されるように構成されることになる。即ち、スパートの前後で識別情報の数が変化するように構成される。
【０１５３】
＜実施形態６：処理の流れ＞
【０１５４】
図１４は、本実施形態における処理の流れの一例を示したものである。
【０１５５】
本実施形態における処理の流れは、被写体の識別情報の取得ステップ（Ｓ１４０１）と、移動被写体を記録するかどうかの判断ステップ（Ｓ１４０２）と、映像情報の記録ステップ（Ｓ１４０３）からなり、被写体の識別情報の取得ステップ（Ｓ１４０１）において、当該撮影装置は複数の移動被写体の識別情報を取得し、前記映像情報の記録ステップ（Ｓ１４０３）において、当該撮影装置は、複数の当該移動被写体の映像情報を、前記識別情報と関連付けて記録するものである。なお、本図では示されていないが、上に加え、さらに表２の各パターンのいずれかに示す処理の流れを有するものも本実施形態に含まれ得る。
【０１５６】
【表２】
2004304653.tif 000004
【０１５７】
即ち、本実施形態における処理の流れは、実施形態１から５のいずれか一を基本とし、被写体の識別情報の取得ステップ（Ｓ１４０１）において、当該撮影装置は複数の移動被写体の識別情報を取得し、前記映像情報の記録ステップ（Ｓ１４０３）において、当該撮影装置は、複数の当該移動被写体の映像情報を、前記識別情報と関連付けて記録するものである
【０１５８】
＜実施形態６：効果＞
【０１５９】
本実施形態においては、移動被写体及びその移動被写体に関連付けられている被写体識別情報は複数であることから、同時に撮影された特定の複数の移動被写体の映像情報を記録することができる。この結果、例えばサッカー等の球技試合において、両チームのスター選手どうしが接近してプレーしている場面だけを取り出して編集したビデオテープをファンに配付するといったサービスの提供が可能となる。また、マラソンランナーの各通過ポイントにおける映像を撮影する場合においては、例えば、レース中に先頭集団４人の中から１人がスパートして単独トップに立ったといった場面があれば、先頭集団が走行する様子を記録した映像情報に記録されたランナーに関連付けられた被写体識別情報の数の変化に基づいて、その前後の映像情報を抜き出すことができ、当該ランナーが単独トップに立つ様子を取り出して編集したビデオを配付するといったサービスの提供が可能となる。
＜＜実施形態７＞＞
【０１６０】
＜実施形態７：概要＞
【０１６１】
本実施形態は、実施形態１から６のいずれか一を基本とし、前記映像情報記録部が記録した映像情報を出力する記録映像情報出力部を有することを特徴とする撮影システムに係るものである。
【０１６２】
＜実施形態７：構成＞
【０１６３】
図１５は、本実施形態の機能ブロックの一例を示す図である。
【０１６４】
本実施形態は、「被写体識別情報取得部」（１５０１）と、「映像情報記録部」（１５０２）と、「記録映像情報出力部」（１５０３）で構成される「撮影システム」（１５００）に係るものである。なお、本図では示されていないが、上に加え、さらに表３の各パターンのいずれかに示す構成を有するものも本実施形態に含まれ得る。
【０１６５】
【表３】
2004304653.tif 000005
【０１６６】
即ち、本実施形態は、実施形態１から６のいずれか一を基本とし、さらに「記録映像情報出力部」（１５０３）を加えたものである。
【０１６７】
「記録映像情報出力部」（１５０３）は、前記映像情報記録部（１５０２）が記録した映像情報を出力するように構成されている。
【０１６８】
＜実施形態７：処理の流れ＞
【０１６９】
図１６は、本実施形態における処理の流れの一例を示したものである。
【０１７０】
本実施形態における処理の流れは、被写体の識別情報の取得ステップ（Ｓ１６０１）と、移動被写体を記録するかどうかの判断ステップ（Ｓ１６０２）と、映像情報の記録ステップ（Ｓ１６０３）と、記録映像情報の出力ステップ（Ｓ１６０４）らなる。なお、本図では示されていないが、上に加え、さらに表４の各パターンのいずれかに示す処理の流れを有するものも本実施形態に含まれ得る。
【０１７１】
【表４】
2004304653.tif 000006
【０１７２】
即ち、本実施形態における処理は、実施形態１から６のいずれか一を基本とし、さらに記録映像情報の出力ステップ（Ｓ１６０５）を加えたものである。
【０１７３】
記録映像情報の出力ステップ（Ｓ１６０５）においては、当該撮影システムが前記映像情報の記録ステップにおいて記録した映像情報を出力する。
【０１７４】
＜実施形態７：効果＞
本実施形態においては、記録した映像情報を出力する記録映像情報出力部を有することから、記録された移動被写体の映像を他の再生装置等に対して出力して見ることが可能となる。
＜＜実施形態８＞＞
【０１７５】
＜実施形態８：概要＞
【０１７６】
本実施形態は、実施形態４を基本とし、前記映像情報取得部が取得した映像情報を出力する取得映像情報出力部を有することを特徴とする撮影システムに係るものである。
【０１７７】
＜実施形態８：構成＞
【０１７８】
図１７は、本実施形態の機能ブロックの一例を示す図である。
【０１７９】
本実施形態は、「被写体識別情報取得部」（１７０１）と、「映像情報記録部」（１７０２）と、「映像情報取得部」（１７０３）と、「取得映像情報出力部」（１７０４）で構成され、前記映像情報記録部は、複数のカメラを有するように構成されている「撮影システム」（１７００）に係るものである。なお、本図では示されていないが、以上の構成に「被写体位置情報取得部」を加えたもので構成される「撮影システム」に係るものである場合もある。
【０１８０】
即ち、本実施形態は、実施形態４を基本とし、さらに「取得映像情報出力部」（１７０４）を加えたものである。
【０１８１】
「取得映像情報出力部」（１７０４）は、前記映像情報取得部が取得した映像情報を出力するように構成されている。
【０１８２】
具体的には、特定のマラソンランナーの走行中の姿を記録した映像の中から特定の一部の映像を出力する場合がある。この場合、映像情報記録部の一部を構成するカメラ等は、当該ランナーの映像情報を、予め各ランナーの衣服等に取り付けられた非接触ＩＣタグ等から発信される識別情報と関連付けて記録し、各ランナーの各地点における映像情報を映像情報記録部の一部を構成するビデオテープレコーダ等に記録するように構成されている。
【０１８３】
次に、映像情報取得部を構成するビデオテープレコーダ等は、上記により記録された当該ランナーの映像情報を、前記識別情報に基づいて取得するように構成されている。
【０１８４】
さらに、取得映像情報出力部を構成する当該レコーダ等は、上記の映像情報の中から、特定の映像情報をユーザに対しインターネット等を通じて出力するように構成されている。
【０１８５】
さらに、取得映像情報出力部を構成する当該レコーダ等は、上記の映像情報の中から、特定の映像情報をユーザに対しインターネット等を通じて出力するように構成されている。
【０１８６】
具体的には、例えば、マラソンランナーの映像情報について、特定の時刻における特定のランナーの映像情報を取り出して出力するような構成が考えられる。この場合、時刻とランナーの特定方法としては、例えば、ユーザが指定する任意の時刻において記録された複数のランナーの映像情報の中から、ユーザが指定する被写体識別情報に基づいて当該ランナーの映像情報を特定するという方法が用いられる。また、ゴール地点における映像情報のように、ユーザがランナーの氏名やゼッケン番号を入力することによりマラソン主催者等が有するデータベース等からそのランナーの通過時刻が特定される場合がある。そこで、このような場合には、当該通過時刻により当該ランナーの映像情報を特定するという方法を用いてもよい。さらに、上記の被写体識別情報による特定と通過時刻による特定とを組み合わせた方法を用いてもよい。なお、「時刻」は一定の時間帯であってもよい。即ち、これらの場合の映像情報は、特定の時刻における静止画にかかるものであっても、特定の時間帯における動画にかかるものであってもよい。
【０１８７】
＜実施形態８：処理の流れ＞
【０１８８】
図１８は、本実施形態における処理の流れの一例を示したものである。
【０１８９】
本実施形態における処理の流れは、被写体の識別情報の取得ステップ（Ｓ１８０１）と、移動被写体を記録するかどうかの判断ステップ（Ｓ１８０２）と、映像情報の記録ステップ（Ｓ１８０３）と、映像情報の取得ステップ（Ｓ１８０４）と、取得映像情報の出力ステップ（Ｓ１８０５）からなり、映像情報の記録ステップにおける記録は、複数のカメラにより行われるものである。なお、本図では示されていないが、以上のステップに、被写体位置情報の取得ステップを加えたものからなる場合もある。
【０１９０】
即ち、本実施形態における処理は、実施形態４を基本とし、さらに取得映像情報の出力ステップ（Ｓ１８０５）を加えたものである。
【０１９１】
取得映像情報の出力ステップ（Ｓ１８０５）においては、当該撮影システムは前記映像情報取得部が取得した映像情報を出力する
【０１９２】
＜実施形態８：効果＞
【０１９３】
本実施形態においては、取得した映像情報を出力する取得映像情報出力部を有することから、取得された移動被写体の映像を他の再生装置等に対して出力して見ることが可能となる。
【０１９４】
例えば、特定のマラソンランナーの走行中の姿を記録した映像の中から特定の一部の映像を出力する場合、ユーザによる特定の時刻の指定、被写体識別情報に基づく特定等に基づいてインターネット等を通じて出力を行うことにより、ユーザは、特定のランナーの特定時刻における静止画等をダウンロードして保存すること等が可能となる。
＜＜実施形態９＞＞
【０１９５】
＜実施形態９：概要＞
【０１９６】
本実施形態は、実施形態７を基本とし、前記記録映像出力部は、放送又は通信により公衆に公開するために前記映像情報を出力することを特徴とする撮影システムに係るものである。
【０１９７】
＜実施形態９：構成＞
【０１９８】
図１９は、本実施形態の機能ブロックの一例を示す図である。
【０１９９】
本実施形態は、「被写体識別情報取得部」（１９０１）と、「映像情報記録部」（１９０２）と、「記録映像情報出力部」（１９０３）で構成され、前記記録映像出力部は、放送又は通信により公衆に公開するために前記映像情報を出力するように構成されている「撮影システム」（１９００）に係るものである。なお、本図では示されていないが、上に加え、さらに表５の各パターンのいずれかに示す構成を有するものも本実施形態に含まれ得る。
【０２００】
【表５】
2004304653.tif 000007
【０２０１】
即ち、本実施形態は、実施形態７を基本とし、前記記録映像出力部は、放送又は通信により公衆に公開するために前記映像情報を出力するように構成されているものである。
【０２０２】
具体的には、当該撮影システムは、例えばマラソンのレース中に、沿道の各地点で記録した特定のランナーの映像情報を、テレビ局に対し出力する場合がある。この場合、例えば映像情報記録部の一部を構成するビデオ機能の付加された携帯電話がある地点における当該ランナーの映像情報を記録し、映像情報出力部の一部を構成する当該携帯電話が当該映像情報をテレビ局に対して出力するように構成される。また、この場合、沿道でマラソンを観戦中の人々が保持する携帯電話を当該映像情報出力部の構成要素とすることもできる。
【０２０３】
＜実施形態９：処理の流れ＞
【０２０４】
図２０は、本実施形態における処理の流れの一例を示したものである。
【０２０５】
本実施形態における処理の流れは、被写体の識別情報の取得ステップ（Ｓ２００１）と、移動被写体を記録するかどうかの判断ステップ（Ｓ２００２）と、映像情報の記録ステップ（Ｓ２００３）と、記録映像情報の出力ステップ（Ｓ２００４）らなり、前記記録映像の出力ステップにおいては、放送又は通信により公衆に公開するために前記映像情報が出力されるものである。なお、本図では示されていないが、上に加え、さらに表６の各パターンのいずれかに示す処理の流れを有するものも本実施形態に含まれ得る。
【０２０６】
【表６】
2004304653.tif 000008
【０２０７】
即ち、本実施形態における処理は、実施形態７を基本とし、当該撮影システムは、前記記録映像の出力ステップにおいて、放送又は通信により公衆に公開するために前記映像情報が出力されるものである。
【０２０８】
＜実施形態９：効果＞
【０２０９】
本実施形態においては、実施形態７と同様の効果に加え、さらに以下の効果を有する。
【０２１０】
即ち、本実施形態においては、記録した映像情報を出力する際に、放送又は通信により公衆に公開するために前記映像情報が出力されるものであることから、例えばマラソンのレース中に、沿道の各地点で複数の携帯電話等で次々に記録した特定のランナーの映像情報を、テレビ局等に対し出力することができる。特に、沿道でマラソンを観戦中の人々が保持する携帯電話を利用して出力を行うこととすれば、当該ランナーのレース状況をきめ細かくフォローした映像情報をテレビ局等から放送やインターネット等を通じて、広汎な範囲のユーザにリアルタイムに配付するといったサービスの提供が可能となる。さらに、各通過ポイントにおける当該ランナーの映像情報を、識別情報及び時刻と関連付けて常時記録することにより、これらの映像情報の中からユーザの指定する任意の時刻における当該ランナーの映像を配付したり、これらの映像情報をつなぎ合わせて編集すること等により当該ランナーの走る姿を時間順の一連の映像として配付したりといったサービスの提供においては、当該ランナーのレース状況を上のようにきめ細かくフォローすることにより、ユーザの指定できる時刻をほぼ全レース中に拡大したり、ほぼ全レースの走行状況を収めた映像を配付したりということが可能となってサービスの幅を広げることができる。
＜＜実施形態１０＞＞
【０２１１】
＜実施形態１０：概要＞
【０２１２】
本実施形態は、実施形態９を基本とし、前記取得映像出力部は、放送又は通信により公衆に公開するために前記映像情報を出力することを特徴とする撮影システムに係るものである。
【０２１３】
＜実施形態１０：構成＞
【０２１４】
図２１は、本実施形態の機能ブロックの一例を示す図である。
【０２１５】
本実施形態は、「被写体識別情報取得部」（２１０１）と、「映像情報記録部」（２１０２）と、「映像情報取得部」（２１０３）と、「取得映像情報出力部」（２１０４）で構成され、前記映像情報記録部は、複数のカメラを有するように構成されており、前記取得映像出力部は、放送又は通信により公衆に公開するために前記映像情報を出力するように構成されている「撮影システム」（２１００）に係るものである。なお、本図では示されていないが、以上の構成に「被写体位置情報取得部」を加えたもので構成される「撮影システム」に係るものである場合もある。
【０２１６】
即ち、本実施形態は、実施形態８を基本とし、前記取得映像出力部は、放送又は通信により公衆に公開するために前記映像情報を出力するように構成されているものである。
【０２１７】
＜実施形態１０：処理の流れ＞
【０２１８】
図２２は、本実施形態における処理の流れの一例を示したものである。
【０２１９】
本実施形態における処理の流れは、被写体の識別情報の取得ステップ（Ｓ２２０１）と、移動被写体を記録するかどうかの判断ステップ（Ｓ２２０２）と、映像情報の記録ステップ（Ｓ２２０３）と、映像情報の取得ステップ（Ｓ２２０４）と、取得映像情報の出力ステップ（Ｓ２２０５）からなり、映像情報の記録ステップにおける記録は、複数のカメラにより行われ、前記取得映像の出力ステップにおいては、放送又は通信により公衆に公開するために前記映像情報が出力されるものである。なお、本図では示されていないが、以上のステップに、被写体位置情報の取得ステップを加えたものからなる場合もある。
【０２２０】
即ち、本実施形態における処理は、実施形態８を基本とし、前記取得映像の出力ステップにおいては、放送又は通信により公衆に公開するために前記映像情報が出力されるものである。
【０２２１】
＜実施形態１０：効果＞
【０２２２】
本実施形態においては、実施形態８と同様の効果に加え、さらに以下の効果を有する。
【０２２３】
即ち、本実施形態においては、取得した映像情報を出力する際に、放送又は通信により公衆に公開するために前記映像情報が出力されるものであることから、例えばマラソンのレース中に、沿道の各地点で複数の携帯電話等で次々に記録した特定のランナーの映像情報を取得し、テレビ局に対し出力すれば、当該ランナーのレース状況をきめ細かくフォローした映像情報をテレビ局から放送やインターネット等を通じて、広汎な範囲のユーザにリアルタイムに配付するといったサービスの提供が可能となる。
【０２２４】
＜＜実施形態１１＞＞
【０２２５】
＜実施形態１１：概要＞
【０２２６】
本実施形態は、実施形態１から１０のいずれか一を基本とする撮影システムを有する携帯型通信端末装置に係るものである。
【０２２７】
＜実施形態１１：構成＞
【０２２８】
図２３は、本実施形態の機能ブロックの一例を示す図である。
【０２２９】
本実施形態は、「被写体識別情報取得部」（２３０１）と、「映像情報記録部」（２３０２）で構成される「撮影システム」（２３０２）を有する「携帯型通信端末装置」（２３００）に係るものである。なお、本図では示されていないが、上に加え、さらに表７の各パターンのいずれかに示す構成を有するものも本実施形態に含まれ得る。
【０２３０】
【表７】
2004304653.tif 000009
【０２３１】
即ち、本実施形態は、実施形態１から１０のいずれか一を基本とする撮影システムを有する携帯型通信端末装置に係るものである。「携帯型通信端末装置」とは、携帯することができるタイプの通信端末装置をいい、例えば携帯電話、ＰＨＳ、携帯型パソコン、ＰＤＡ、ビデオムービー等が該当する。
【０２３２】
＜実施形態１１：処理の流れ＞
【０２３３】
図２４は、本実施形態における処理の流れの一例を示したものである。
【０２３４】
本実施形態における処理の流れは、被写体の識別情報の取得ステップ（Ｓ２４０１）と、移動被写体を記録するかどうかの判断ステップ（Ｓ２４０２）と、映像情報の記録ステップ（Ｓ２４０３）からなり、これらの処理は携帯型通信端末装置により行われる。なお、本図では示されていないが、上に加え、さらに表８の各パターンのいずれかに示す処理の流れを有するものも本実施形態に含まれ得る。
【０２３５】
【表８】
2004304653.tif 000010
【０２３６】
即ち、本実施形態における処理の流れは、実施形態１から１０のいずれか一を基本とする撮影システムを有する携帯型通信端末装置により行われるものである。
【０２３７】
＜実施形態１１：効果＞
本実施形態においては、実施形態１から１０のいずれか一と同様の効果に加え、以下の効果が得られる。
【０２３８】
即ち、本実施形態においては、当該記録等が携帯型通信端末装置により行われることから、予め撮影地点を設定しておく必要がなく、従って予めカメラを設置しておく必要もない。従って、いつでもどこでも撮影チャンスを逃さないといった形で撮影の地域的、時期的機会をより拡大することができ、このようにしてアトランダムに撮影された移動被写体の映像情報を、識別情報に基づいて特定の移動被写体の映像情報として記録したり、取得したりすることが可能となる。
＜＜実施形態１２＞＞
【０２３９】
＜実施形態１２：概要＞
【０２４０】
本実施形態は、実施形態１から１１のいずれか一を基本とし、前記識別情報は、被写体に備えられた非接触ＩＣタグにより生成され、前記被写体識別情報取得部は、前記非接触ＩＣタグ読取機能を有することを特徴とする撮影システムに係るものである。
【０２４１】
＜実施形態１２：構成＞
【０２４２】
図２５は、本実施形態の機能ブロックの一例を示す図である。
【０２４３】
本実施形態は、「被写体識別情報取得部」（２５０１）と、「映像情報記録部」（２５０２）で構成され、前記識別情報は、被写体に備えられた非接触ＩＣタグにより生成され、前記被写体識別情報取得部は、前記非接触ＩＣタグ読取機能を有する「撮影システム」（２５００）に係るものである。なお、本図では示されていないが、上に加え、さらに表９の各パターンのいずれかに示す構成を有するものも本実施形態に含まれ得る。
【０２４４】
【表９】
2004304653.tif 000011
【０２４５】
即ち、本実施形態は、実施形態１から１１のいずれか一を基本とし、前記識別情報は、被写体に備えられた非接触ＩＣタグにより生成され、前記被写体識別情報取得部は、前記非接触ＩＣタグ読取機能を有するものである。
【０２４６】
「非接触ＩＣタグ」とは、ＩＣチップが組み込まれ、そこから発する電波により読取機能を有する読取装置に対し識別情報を送信するように構成されているタグをいい、かかる機能を有するものであれば、その形状は問わない。また、「非接触ＩＣタグ読取機能」とは、非接触ＩＣタグから発せられる電波により当該タグから発せられた識別情報を読み取る機能をいう。
【０２４７】
＜実施形態１２：処理の流れ＞
【０２４８】
図２６は、本実施形態における処理の流れの一例を示したものである。
【０２４９】
本実施形態における処理の流れは、被写体の識別情報の取得ステップ（Ｓ２６０１）と、移動被写体を記録するかどうかの判断ステップ（Ｓ２６０３）と、映像情報の記録ステップ（Ｓ２６０３）からなり、前記被写体の識別情報の取得ステップ（Ｓ２６０１）において取得される前記識別情報は、被写体に備えられた非接触ＩＣタグにより生成され、また、前記被写体の識別情報の取得ステップ（Ｓ２６０１）における処理に際し、撮影システムは前記非接触ＩＣタグ読取機能を有するものである。なお、本図では示されていないが、上に加え、さらに表１０の各パターンのいずれかに示す処理の流れを有するものも本実施形態に含まれ得る。
【０２５０】
【表１０】
2004304653.tif 000012
【０２５１】
即ち、本実施形態における処理は、実施形態１から１１のいずれか一を基本とし、前記被写体の識別情報の取得ステップ（Ｓ２６０１）において取得される前記識別情報は、被写体に備えられた非接触ＩＣタグにより生成され、また、前記被写体の識別情報の取得ステップ（Ｓ２６０１）における処理に際し、撮影システムは前記非接触ＩＣタグ読取機能を有するものである。
【０２５２】
＜実施形態１２：効果＞
【０２５３】
本実施形態においては、実施形態１から１１のいずれか一と同様の効果に加え、前記識別情報は、被写体に備えられた非接触ＩＣタグにより生成され、前記被写体識別情報取得部は、前記非接触ＩＣタグ読取機能を有することから、識別情報の発信源を小型化することができ、例えば、かかる非接触ＩＣタグを予め組み込んだ衣服を使用すれば、わざわざ撮影のために改めて取り付ける必要がなくなり、本発明にかかる撮影システムの使用機会を拡大することが可能となる。
＜＜実施形態１３＞＞
【０２５４】
＜実施形態１３：概要＞
【０２５５】
本実施形態は、実施形態１から１２のいずれか一を基本とし、前記映像情報記録部が記録する前記移動被写体の映像情報は、アトラクションを利用して移動する移動被写体の映像情報であることを特徴とする撮影システムに係るものである。
【０２５６】
＜実施形態１３：構成＞
【０２５７】
図２７は、本実施形態の機能ブロックの一例を示す図である。
【０２５８】
本実施形態は、「被写体識別情報取得部」（２７０１）と、「映像情報記録部」（２７０２）で構成され、前記映像情報記録部が記録する前記移動被写体の映像情報は、アトラクションを利用して移動する移動被写体の映像情報である「撮影システム」（２７００）に係るものである。なお、本図では示されていないが、上に加え、さらに表１１の各パターンのいずれかに示す構成を有するものも本実施形態に含まれ得る。
【０２５９】
【表１１】
2004304653.tif 000013
【０２６０】
即ち、本実施形態は、実施形態１から１２のいずれか一を基本とし、前記映像情報記録部が記録する前記移動被写体の映像情報は、アトラクションを利用して移動する移動被写体の映像情報であるものである。
【０２６１】
＜実施形態１３：処理の流れ＞
【０２６２】
図２８は、本実施形態における処理の流れの一例を示したものである。
【０２６３】
本実施形態における処理の流れは、被写体の識別情報の取得ステップ（Ｓ２８０１）と、移動被写体を記録するかどうかの判断ステップ（Ｓ２８０３）と、映像情報の記録ステップ（Ｓ２８０３）からなり、前記被写体の識別情報の取得ステップ（Ｓ２８０１）において取得される前記識別情報は、被写体に備えられた非接触ＩＣタグにより生成され、また、前記被写体の識別情報の取得ステップ（Ｓ２８０１）における処理に際し、撮影システムは前記非接触ＩＣタグ読取機能を有するものである。なお、本図では示されていないが、上に加え、さらに表１２の各パターンのいずれかに示す処理の流れを有するものも本実施形態に含まれ得る。
【０２６４】
【表１２】
2004304653.tif 000014
【０２６５】
即ち、本実施形態における処理は、実施形態１から１２のいずれか一を基本とし、前記映像情報の記録ステップ（Ｓ２８０３）において記録される前記移動被写体の映像情報は、アトラクションを利用して移動する移動被写体の映像情報である。
【０２６６】
＜実施形態１３：効果＞
本実施形態においては、前記映像情報記録部が記録する前記移動被写体の映像情報は、アトラクションを利用して移動する移動被写体の映像情報であることことから、アトラクションを利用して移動する移動被写体について実施形態１から１２のいずれか一と同様の効果を得ることができ、例えば、搭乗を終えてジェットコースタから降りる際に、各人に搭乗記念としてその映像を記録し度デオテープを配付するといったサービスの提供が可能となる。
【０２６７】
【発明の効果】
以上に説明したように、本発明は、移動被写体の識別情報を取得し、前記移動被写体の映像情報を、前記移動被写体の識別情報と関連付けて記録する機能を有する撮影システムに関するものであって、これにより上記のような多くの被写体の中から特定の被写体のみを識別して、その映像を記録したり編集したりするというニーズに応えることができる。
【図面の簡単な説明】
【図１】実施形態１を説明するための概念図
【図２】実施形態１を説明するための機能ブロック図
【図３】実施形態１の処理の流れを説明する図
【図４】実施形態２を説明するための機能ブロック図
【図５】実施形態２の処理の流れを説明する図
【図６】実施形態３を説明するための機能ブロック図
【図７】実施形態３の処理の流れを説明する図
【図８】実施形態４を説明するための機能ブロック図
【図９】実施形態４の処理の流れを説明する図
【図１０】実施形態５を説明するための概念図
【図１１】実施形態５を説明するための機能ブロック図
【図１２】実施形態５の処理の流れを説明する図
【図１３】実施形態６を説明するための機能ブロック図
【図１４】実施形態６の処理の流れを説明する図
【図１５】実施形態７を説明するための機能ブロック図
【図１６】実施形態７の処理の流れを説明する図
【図１７】実施形態８を説明するための機能ブロック図
【図１８】実施形態８の処理の流れを説明する図
【図１９】実施形態９を説明するための機能ブロック図
【図２０】実施形態９の処理の流れを説明する図
【図２１】実施形態１０を説明するための機能ブロック図
【図２２】実施形態１０の処理の流れを説明する図
【図２３】実施形態１１を説明するための機能ブロック図
【図２４】実施形態１１の処理の流れを説明する図
【図２５】実施形態１２を説明するための機能ブロック図
【図２６】実施形態１２の処理の流れを説明する図
【図２７】実施形態１３を説明するための機能ブロック図
【図２８】実施形態１３の処理の流れを説明する図
【図２９】実施形態１を説明するための概念図
【図３０】実施形態４を説明するための概念図
【図３１】実施形態５を説明するための概念図
【符号の説明】
０１０１    ジェットコースタ
０１０２    非接触ＩＣタグ等
０１０３    カメラａ
０１０４    ジェットコースタの搭乗者
０１０５    カメラｂ
【図１】
2004304653.tif 000015
【図２】
2004304653.tif 000016
【図３】
2004304653.tif 000017
【図４】
2004304653.tif 000018
【図５】
2004304653.tif 000019
【図６】
2004304653.tif 000020
【図７】
2004304653.tif 000021
【図８】
2004304653.tif 000022
【図９】
2004304653.tif 000023
【図１０】
2004304653.tif 000024
【図１１】
2004304653.tif 000025
【図１２】
2004304653.tif 000026
【図１３】
2004304653.tif 000027
【図１４】
2004304653.tif 000028
【図１５】
2004304653.tif 000029
【図１６】
2004304653.tif 000030
【図１７】
2004304653.tif 000031
【図１８】
2004304653.tif 000032
【図１９】
2004304653.tif 000033
【図２０】
2004304653.tif 000034
【図２１】
2004304653.tif 000035
【図２２】
2004304653.tif 000036
【図２３】
2004304653.tif 000037
【図２４】
2004304653.tif 000038
【図２５】
2004304653.tif 000039
【図２６】
2004304653.tif 000040
【図２７】
2004304653.tif 000041
【図２８】
2004304653.tif 000042
【図２９】
2004304653.tif 000043
【図３０】
2004304653.tif 000044
【図３１】
2004304653.tif 000045